(57)【要約】      （修正有）【課題】手拭い等をしわにならずに収納し、かつ扇子等の棒状の道具も収納可能な道具収納具を提供する。【解決手段】道具収納具は、略矩形の外側シート１と、略矩形の内側シート２と、巻回状態保持具５，６とを有し、前記略矩形の一辺がそれぞれ重なるように前記外側シート１の上に、前記内側シート２が配置され、前記両シート１，２は、前記重なった辺の部分で結合しており、前記両シート１，２の間には、シート状用具が挟持可能であり、前記両シート１，２は、前記結合している辺を中心軸として、前記辺と垂直方向に巻回可能であり、前記巻回可能状態保持具５，６により、前記両シート１，２の巻回状態を保持可能であることを特徴とする。【選択図】図１
0003137854.tif 000002
【実用新案登録請求の範囲】
【請求項１】
略矩形の外側シートと、略矩形の内側シートと、巻回状態保持具とを有し、
前記略矩形の一辺がそれぞれ重なるように前記外側シートの上に、前記内側シートが配置され、
前記両シートは、前記重なった辺の部分で結合しており、
前記両シートの間には、シート状用具が挟持可能であり、
前記両シートは、前記結合している辺を中心軸として、前記辺と垂直方向に巻回可能であり、
前記巻回状態保持具により、前記両シートの巻回状態を保持可能であることを特徴とする道具収納具。
【請求項２】
前記内側シートの結合している辺と平行方向の両端部に、内側方向に開口可能な袋状の保持部が形成されている請求項１記載の道具収納具。
【請求項３】
前記巻回状態保持具が、紐状の巻き止め用具と、前記巻き止め用具を係止可能な止め具からなる請求項１または２記載の道具収納具。
【請求項４】
さらに、蓋付きの小物収納部を有する請求項１から３のいずれか一項に記載の道具収納具。
【請求項５】
舞踏用道具の収納および茶道用道具の収納の少なくとも一方の用途に使用される請求項１から４のいずれか一項に記載の道具収納具。
【考案の詳細な説明】
【技術分野】
【０００１】  本考案は、道具収納具に関する。
【背景技術】
【０００２】  日本舞踊や茶道の稽古には、稽古道具として、扇子、撥、手拭い、袱紗、懐紙等の小物の道具が使用される。扇子等の道具は、鞄の中に入れて稽古場所まで携帯することになるが、例えば、扇子は、扇部分に紙等の素材が用いられているため、裸の状態では、鞄の中で他の物品と擦れ合って傷みやすい。そこで、保管や携帯時に扇を保護するために、一本用の筒状扇子ケースや、ファスナー付きの袋状の扇子ケースが、提案されている（例えば、特許文献１）。前記筒状扇子ケースは、出し入れに時間を要するため不便であり、また、一本収納用であるため、日本舞踊の演目によって二本用いる場合には、収納できな。前記袋状扇子ケースは、ファスナーの開閉時に、扇子の紙製の扇面を傷めることがある。また、日本舞踊においては、木綿素材の手拭いを使う場合が多いが、特別な収納具がないため、手拭いを直に鞄等に収納し、稽古場所まで携帯することになる。しかし、手拭いを直に収納すると、携帯時にしわになりやすい。さらに、扇子と手拭いとをまとめて収納する用具がないため、いずれか一方を、稽古時に持参し忘れる場合がある。【０００３】
【特許文献１】実開平２−４５０１５
【考案の開示】
【考案が解決しようとする課題】
【０００４】  本考案は、このような事情に鑑みなされたもので、手拭い等のシート状用具をしわにならずに収納することができ、かつ扇子等の他の道具も収納できる道具収納具の提供を目的とする。
【課題を解決するための手段】
【０００５】  前記目的を達成するために、本考案の道具収納具は、略矩形の外側シートと、略矩形の内側シートと、巻回状態保持具とを有し、
前記略矩形の一辺がそれぞれ重なるように前記外側シートの上に、前記内側シートが配置され、
前記両シートは、前記重なった辺の部分で結合しており、
前記両シートの間には、シート状用具が挟持可能であり、
前記両シートは、前記結合している辺を中心軸として、前記辺と垂直方向に巻回可能であり、
前記巻回状態保持具により、前記両シートの巻回状態を保持可能であることを特徴とする。
【考案の効果】
【０００６】  本考案の道具収納具によれば、前記二枚のシート間に、手拭い等のシート状道具を挟み、かつ内側シートに扇子を保持して巻回すれば、手拭い等をしわにならない状態で収納し、かつ扇子等の他の道具も同時に収納することができる。本考案の道具収納具によれば、手拭いや扇子等の複数の道具をまとめて収納可能であるから、いずれかの道具を稽古に忘れることを防止できる。また、本考案の道具収納具によれば、扇子等のように傷みやすい素材を使用した道具であっても、損傷を防止することができる。また、本考案の道具収納具は、その収納および取り出しを、簡単かつ迅速に行うことができる。また、本考案の道具収納具に、さらに、蓋付きの小物収納部を設ければ、紛失しがちなアクセサリー類をあわせて収納することができる。
【考案を実施するための最良の形態】
【０００７】  本考案の道具収納具は、前記内側シートの結合している辺と平行方向の両端部に、内側方向に開口可能な袋状の保持部が形成されていることが好ましい。【０００８】  本考案の道具収納具は、前記巻回状態保持具が、紐状の巻き止め用具と、前記巻き止め用具を係止可能な止め具からなることが好ましい。【０００９】  さらに、本考案の道具収納具は、蓋付きの小物収納部を有していてもよい。【００１０】  また、本考案の道具収納具は、その用途は制限されず、例えば、舞踏用道具の収納または茶道用道具などの用途に使用されてもよい。【００１１】  つぎに、本考案について、例をあげて詳細に説明する。【００１２】  本考案の道具収納具において、前記外側シートの素材は、例えば、絹、木綿、合成繊維等の織物や不織布、紙等が挙げられる。道具の保護機能を高める場合には、前記外側シートの素材として、厚手の素材を用いることが好ましい。前記外側シートの大きさは、特に制限はなく、例えば、手拭いを収納する場合は、手拭いよりも大きいことが好ましい。前記外側シートの形状は、略矩形であればよく、横長の帯状が好ましい。携帯時のシートの角折れを防ぐために、前記外側シートの角が、曲線状に加工されていてもよい。【００１３】  本考案の道具収納具において、前記内側シートの素材は、例えば、絹、木綿、合成繊維等の織物や不織布、紙等が挙げられるが。前記内側シートは、扇子等のような傷み易い素材の道具に接触する場合があるため、薄手のやわらかな素材を用いることが好ましい。また、前記内側シートの大きさは、前記両シートを重ねたときに、前記外側シート内に収まるサイズが好ましい。前記内側シートの形状は、略矩形であればよい。好ましくは、前記外側シートと同様に、横長の帯状が好ましい。携帯時のシートの角折れを防ぐために、前記内側シートの角が、曲線状に加工されていてもよい。【００１４】  本考案の道具収納具において、前記外側シートと前記内側シートは、前述のように、一辺がそれぞれ重なるように前記外側シートの上に、前記内側シートが配置され、前記重なった辺の部分で両シートが結合している。前記両シートの結合方法は、縫合や融着など、シート素材に応じて、任意の方法を用いることができる。例えば、シート素材が絹布地の場合は、ミシンや手縫いによる縫合が好ましい。前記両シートは、重なった辺の部分のみで結合しており、残る３辺は結合していないため、前記両シートの間に、前記シート状用具、例えば、手拭い、袱紗、小袱紗、懐紙などを挟持することができる。【００１５】  本考案の道具収納具において、前記内側シートは、前述のように、前記外側シートと結合している辺と平行方向の両端部に、内側方向に開口可能な袋状の保持部が形成されていることが好ましい。このような袋状の保持部を設ければ、後述のように、扇子等の棒状の道具の両端を前記袋状保持部に差し込んで保持することができる。前記保持部は、例えば、前記両端部を折り返して、前記結合している辺と反対側の端部を縫合等することにより、袋状に形成してもよい。また、前記保持部を縫製等により間仕切りし、複数の道具を仕分けて収納してもよい。【００１６】  本考案の道具収納具において、前記巻き止め用具は、例えば���紐状であり、例えば、天然繊維や合成繊維を用いた織物や編物、あるいはゴム等を用いることができる。また、前記止め具は、前記巻き止め用具を止めることができるものであれば、特に制限されず、例えば、ボタン、ビーズ等を前記止め具として用いてもよい。【００１７】  蓋付きの小物収納部は、素材、大きさ、形状、および取り付け位置のいずれも、特に制限されない。【００１８】  本考案の道具収納具は、大切に取り扱う必要のある道具や、携帯時にしわになりやすい道具を収納する用途に用いることができる。例えば、日本舞踊に用いる扇子や手拭いなどの舞踏用道具や、茶道に用いる袱紗、懐紙や扇子等の茶道用道具の収納に適しており、収納対象の道具の種類は特に制限されない。
【実施例】
【００１９】  つぎに、本考案の道具収納具の一例を図１に示す。図１は、本例の道具収納具の説明図である。本例の道具収納具は、横に長い帯状の２枚の布シート（外側シート１および内側シート２）および巻回状態保持具（止め具５および巻き止め用具６）から構成されている。前記２枚のシート１、２は、一辺（同図において左側の辺）が、それぞれ重なるように２層に重ねられて、前記重なった部分が糸で縫合されている。図示のように、前記２枚のシートの間に、手拭い８を、しわなく伸ばした状態で挟持することができる。また、前記内側シート２は、幅方向両端部を内側に折り込み、外側シート１と結合した側と反対側の端部を糸で縫合して袋状にして形成した保持部３を有する。前記保持部３は、内側方向に開口しているため、扇子等の棒状の道具を、その両端を差し込んで保持することができる。道具を収納して携帯する場合には、図４に示すように、前記２枚のシート１、２を縫合した辺を中心軸として、長手方向に巻回し、さらに、紐状の巻き止め具６を巻いて、前記紐状巻き止め具６の先端を、止め用具５に引っ掛けることで、前記巻回状態を保持する。【００２０】  図２の説明図に、本考案の道具収納具のその他の例を示す。図２において、図１と同一部分には同一符号を付している。図２に示すように、本例の道具収納具は、糸で縫合することにより、保持部３に間仕切り部４を形成している。前記間仕切り部４により、複数の扇子９や撥１０等を区分けして収納できる。これ以外は、図１に示す道具収納具と同様の構成であり、使用の仕方も同様である。図３は、本例の道具収納具を巻回する途中の状態を示す図であり、同図において、図１および図２と同一部分には同一符号を付している。
【産業上の利用可能性】
【００２１】  本考案の道具収納具は、例えば、日本舞踊や茶道の稽古に使用される手拭い等のシート状の道具をしわにならない状態で保持でき、また、扇子等の他の道具と一緒に収納することができ、また道具の出し入れも簡単で、利便性が高い。本考案の道具収納具は、日本舞踊や茶道等のように、手ぬぐい等のシート状の道具や扇子等の棒状の道具を使用する分野に好ましく適用され、その用途は制限されず、広い分野に使用可能である。
【図面の簡単な説明】
【００２２】
【図１】図１は、本考案の道具収納具の一実施例を示す説明図である。
【図２】図２は、本考案の道具収納具のその他の実施例を示す説明図である。
【図３】図３は、本考案の道具収納具の前記その他の実施例において、巻回途中の状態を示す説明図である。
【図４】図４は、本考案の道具収納具の前記一実施例の巻回状態を示す説明図である。
【符号の説明】
【００２３】１    外側シート
２    内側シート
３    保持部
４    間仕切り部
５    止め具
６    巻き止め用具
７    小物収納部
８    手拭い
９    扇子
１０  撥
【図１】
0003137854.tif 000003
【図２】
0003137854.tif 000004
【図３】
0003137854.tif 000005
【図４】
0003137854.tif 000006